(57)【特許請求の範囲】
【請求項１】
かご室の天蓋部に空調機が設けられたエレベータかご室であって、 
吸気口から前記かご室の外部の空気を流入し、排気口から前記空気を排気して前記かご室の内部に空気を供給する換気装置と、 
該換気装置を覆い、前記吸気口に対面して開口した空気吸入口を有する防音カバーと、 
該防音カバーに設けられ、前記かご室の昇降速度に応じて、前記空気吸入口の開口量を調整する開口調整カバーと、
前記空気吸入口付近で前記天蓋部の上面と前記防音カバーの内面とに設けた吸音材と、 
を備えたことを特徴とするエレベータかご室。
【請求項２】
前記空気吸入口を開口するように前記開口調整カバーを回転させる回転機構を備えたことを特徴とする請求項１に記載のエレベータかご室。
【請求項３】
前記回転機構を前記かご室の昇降速度に応じて、回転角度を調節する回転制御手段を備えたことを特徴とする請求項２に記載のエレベータかご室。
【発明の詳細な説明】
【技術分野】
【０００１】
この発明は、エレベータかご室の空調を行う空調機において、かご室の外部からかご室の内部に入る騒音を低減するエレベータかご室用空調機に関するものである。
【背景技術】
【０００２】
高速のエレベータにおいては、エレベータ昇降時の風切り音や、綱車などの回転体やガイド部などの摺動体などを有する機器からはっせられる音がエレベータかご室の隙間からかご室内に入り込み、騒音となる。また、エレベータのかご室には、通常、かご室内の空調を行う空調機が天井部に設けられている。空調機は空気吸入口があり、この空気吸入口を通して、空気をかご室外部からかご室内へ送り込み、かご室内を空調している。従って、高速エレベータにおいては、この空気吸入口がかご室の隙間となり、かご室内の騒音に大きく影響を及ぼす。
【０００３】
上記のような問題に対して、従来のエレベータかご室用空調機は、かご室の外部からかご室の内部に空気を供給する換気ファンが設けられ、この換気ファンの空気吸入口を覆うようにカバーが設けられている。これにより、かご室の昇降速度が速くなった場合に、風切り音などの騒音がかご室内に入り難くなるようにしている。（例えば、特許文献１を参照）
【０００４】
【特許文献１】特開２０００−８６１２４号公報（第６頁、第１図）
【発明の開示】
【発明が解決しようとする課題】
【０００５】
以上のように、従来のエレベータかご室用空調機は、換気ファンの空気吸入口付近にカバーを設け、騒音がかご室内に入り難くしているものの、このカバーは固定されており、空気吸入口はある一定量だけ開口したままとなっている。そのため、かご室の昇降速度がより速くなった場合には、空気吸入口の開口部を狭くする必要があるが、従来のものでは対応できない。また、空気吸入口の開口部を狭くし過ぎると換気ファンを駆動する負荷が増大する場合があり、空調が適切に行われない可能性があるといった問題点があった。
この発明は、かかる問題を解決するためになされたもので、その目的は、かご室の昇降速度に応じて、かご室内を適切に空調させるとともに、適切にかご室内の騒音を低減することができるエレベータかご室用空調機を得ることである。
【課題を解決するための手段】
【０００６】
この発明に係るエレベータかご室においては、 吸気口からかご室の外部の空気を流入し、排気口から空気を排気してかご室の内部に空気を供給する換気装置と、この換気装置を覆い、吸気口に対面して開口した空気吸入口を有する防音カバーと、この防音カバーに設けられ、かご室の昇降速度に応じて、空気吸入口の開口量を調整する開口調整カバーと、空気吸入口付近で天蓋部の上面と防音カバーの内面とに設けた吸音材と、を備えたものである。
【発明の効果】
【０００７】
換気装置を防音カバーで覆い、開口調整カバーが換気装置の吸気口に対向した空気吸入口の開口量を調整する。これにより、昇降速度が速い場合には、開口調整カバーが空気吸入口の開口量を小さくして、騒音をかご室内に入り難くし、昇降速度が遅い場合には、空気吸入口の開口量を大きくして、空気をかご室内に入り易くするので、かご室の昇降速度に応じて、かご室内を適切に空調させるとともに、適切にかご室内の騒音を低減することができる。
【発明を実施するための最良の形態】
【０００８】
実施の形態１．
図１は、この発明の実施の形態１におけるエレベータかご室用空調機を示すかご室全体の正面図である。図２は、エレベータかご室用空調機を示す正面視の拡大図であり、図３はエレベータかご室用空調機の側面図である。図４は、図３の断面Ａ−Ａを示した図であり、図５は、動作を示す図である。
【０００９】
図１、２、３及び４において、エレベータかご室１は、かご床２の上面外周にかご壁３が立設され、このかご壁３の上面に天蓋４が取り付けられて、箱状に構成されている。天蓋４には、下側にかご室１内を照明する照明装置４ａが設けられている。照明装置４ａは、側面視において傘状に呈している。また、天蓋４の上面には、かご壁３と照明装置４ａとの間に換気口５が形成されている。そして、空調機６が換気口５の上部に取り付けられている。
【００１０】
空調機６には、天蓋４の上面に取り付けられた、断面コ字状の取付台７が設けられている。この取付台７の上面に、換気装置８が防振体７ａを介して締結具９によって取り付けられている。この換気装置８は、一般に市場で販売されているものであり、換気ファン８ｃを内部に有している。また、換気装置８は、前面に換気ファン８ｃによって横方向から空気を流入する吸気口８ｂと、下面に換気口５に対向した排気口８ａを設けている。なお、吸気口８ｂは前面に接した上面の一部にも設けられている。そして、換気ファン８ｃの作動によって、空気が吸気口８ｂから排気口８ａへ送風される。また、空調機６には、換気装置８を覆う防音カバー１０が設けられている。この防音カバー１０は、換気装置８の上面、側面、及び吸気口８ｃと反対側の後面に対して、所定の隙間を有して換気装置８を覆ったダクト状を呈し、吸気口８ｂに所定の空間８ｄを有して対面して横方向に開口した空気吸入口１１を有している。なお、空気吸入口１１は、吸気口８ｂの近傍で防音カバー１０の側面の下半分にも開口している。
【００１１】
また、防音カバー１０は、片側側面の外側に形成した第１の取付部１０ａと、他側側面の内側に形成した第２の取付部１０ｂとを有している。そして、第１の取付部１０ａ及び第２の取付部１０ｂには、それぞれ端部側に開口した取付用穴１０ｃが形成されている。この取付用穴１０ｃに締結具９が挿入され、防音カバー１０が、換気装置８の上方より、換気装置８とともに取付台７に取り付けられている。
【００１２】
開口調整カバー１２が、空気吸入口１１側の防音カバー１０に設けられている。この開口調整カバー１２は、断面がコ字状を呈し、一面が空気吸入口１１の上側一部を閉ざすように空気吸入口１１に沿った形状を呈し、一面の両側面が防音カバー１０の内面に対面されて配置されている。そして、開口調整カバー１２の両側面が、回転機構であるボルト１３によって、防音カバー１０に回転及び固定されている。このボルト１３を弛緩した状態で、開口調整カバー１２が防音カバー１０に対して回転自在となり、締め付けた状態で、防音カバー１０に固定される。そして、次に述べるように、開口調整カバー１２の回転角度よって空気吸入口１１の開口量を調整するようになっている。即ち、開口調整カバー１２が防音カバー１０の端面に沿った状態（図に対して垂直な状態）では、空気吸入口１１の上側一部の開口を閉ざし、この閉ざした角度から防音カバー１０の外側へ回転する方向へ傾けることで、開口した状態となり、この回転角度によって開口量を調整する。また、空気吸入口１１付近の防音カバー１０の上面内側には、第１の吸音材１４が設けられている。また、空気吸入口１１付近で、天蓋４の上面に第２の吸音材１５が設けられている。
【００１３】
次に、空調機６の動作について図５を用いて説明する。
換気ファン８ｃを作動することで、かご室１外部の空気が空気吸入口１１から流入し、換気装置８の吸気口８ｂと、排気口８ａと、換気口５を介して、かご室１内に供給される。これによってかご室１内の空調が行なわれる。また、エレベータ昇降時に発生する騒音も、同様に空気吸入口１１から入り込み、かご室１内へ入る。
【００１４】
開口調整カバー１２が防音カバー１０の端面に沿った角度で固定されているとき、空気吸入口１１の上側一部が閉じた形となって、空気は、図の矢印Ａのように、開口調整カバー１２の下側の開口部から入り込む。これによって、空気及び騒音がかご室１内に入り難くなり、かご室１内の騒音レベルが低くなる。また、開口調整カバー１２が防音カバー１０の外側へ回転されて固定されているとき、空気吸入口１１の開口量が大きくなり、空気及び騒音がかご室１内に入り易くなり、かご室１内の騒音レベルも高くなる。このように、開口調整カバー１２によって空気吸入口１１の開口量を調整することで、かご室１内に入り込む騒音レベルを調整する。
【００１５】
かご室１の昇降速度が速いエレベータの場合、風切り音などの騒音が高くなる。この場合、開口調整カバー１２の回転角度を小さい角度に設定し、空気吸入口１１の開口量を小さくして、かご室１内の騒音レベルを低くする。このとき、空調するための空気がかご室１内に入り難くなり、換気ファン８ｃの負荷が大きくなるが、ファンの特性上、回転数が大きくなり吸気量も増加するため、問題なく空調が行われる。逆に、かご室１の昇降速度が遅いエレベータの場合、風切り音などの騒音が低くなる。この場合、開口調整カバー１２の回転角度を大きい角度に設定し、空気吸入口１１の開口量を大きくして、換気ファン８ｃの負荷を小さくして空調を行う。このとき、エレベータ昇降時に発生した騒音がかご室１内に入り易くなるが、かご室１の昇降速度が遅く、発生した騒音は低い状態なのでかご室１内の騒音は問題ないレベルである。
【００１６】
また、騒音は、天蓋４の上面にも反射して空気吸入口１１に入り込む。このとき、騒音は第２の吸音材１５に反射し音が吸収される。また、空気吸入口１１に入り込んだ騒音は、空気吸入口１１付近の防音カバー１０の内面に反射してかご室１内に入り込む。このとき、騒音は第１の吸音材１４に反射し音が吸収される。また、換気装置８の作動による振動は、防振体７ａによって緩和されて天蓋に伝播される。
【００１７】
以上の実施の形態１におけるエレベータかご室用空調機は、次に示す効果を奏する。
空調機６は、かご室１の外部からかご室１の内部に空気を供給する換気装置８と、この換気装置８を覆ったダクト状を呈し、換気装置８の吸気口８ｂに対面して開口した空気吸入口１１を有する防音カバー１０とを設けている。そして、開口調整カバー１２が、空気吸入口１１側の防音カバー１０に設けられ、かご室１の昇降速度に応じて、空気吸入口１１の開口量を調整する。これにより、かご室１の昇降速度が速いエレベータの場合、かご室１内の空調を行うとともに、開口調整カバー１２によって空気吸入口１１の開口量を小さく設定することで、騒音がかご室１内に入り難くなるので、かご室１内の騒音を低減できる。逆に、かご室１の昇降速度が遅いエレベータの場合、開口調整カバー１２によって開口量を大きく設定することで、かご室１内の騒音が問題とならない状態で、かご室１
内の空調を十分に行うことができる。このように、かご室１の昇降速度に応じて、かご室１内を適切に空調させるとともに、適切にかご室内の騒音を低減することができる空調機を得られる。また、１種類の空調機で速度の異なる多種のエレベータに適用可能となり、経済的となる。
【００１８】
また、空気吸入口１１を有した防音カバー１０で、換気装置８をダクト状に覆い、換気装置８が吸気する空気を空気吸入口１１から流入するようにしたので、換気装置８自体を、通常に販売されているものを使用することができ、経済的な空調機を得ることができる。
【００１９】
また、かご室１の昇降速度が遅いエレベータ場合、開口調整カバー１２によって開口量を大きく設定することで、換気ファン８ｃの負荷を小さくすることができ、換気ファンの長寿命化が図れる。なお、換気ファンの負荷が小さくなるので、容量を小さくすることもできる。
【００２０】
また、開口調整カバー１２は空気吸入口１１の開口部の上側一部を閉ざすようになっており、開口部を完全に塞ぐことがないので、万一、開口調整カバー１２が空気吸入口１１を閉ざす位置にあっても、かご室１内の空調を十分に行うことができる。また、空気吸入口１１は、吸気口８ｂの近傍で防音カバー１０の側面の下半分にも開口しているので、さらに、かご室１内の空調を十分に行うことができる。
【００２１】
また、防音カバー１０には、空気吸入口１１を開口するように、開口調整カバー１２を回転させる回転機構を設けたので、簡単な構造で開口量を調整することができる。また、この回転機構は、回転軸をボルト１３で構成し、ボルト１３を弛緩することで開口調整カバー１２を任意の角度で回転させ、ボルト１３を締め付けることで固定するようにしたので、簡単な作業で開口調整カバー１２の回転角度を設定できる。
【００２２】
また、吸音材１４を設けたので、防音カバーの内面に反射する騒音を吸収することができ、かご室１内の騒音をさらに低減することができる。また、吸音材１５を設けたので、天蓋４の上面に反射する騒音を吸収することができ、かご室１内の騒音をさらに低減することができる。
【００２３】
また、防音カバー１０は、第１の取付部１０ａと、第２の取付部１０ｂとを有している。そして、第１の取付部１０ａ及び第２の取付部１０ｂには、それぞれ端部側に開口した取付用穴１０ｃが形成されている。この取付用穴１０ｃに締結具９が挿入され、防音カバー１０が、換気装置８の上方より、換気装置８とともに取付台７に取り付けられている。これにより、締結具９を弛緩することで、防音カバー１０を取り外し及び取り付けができ、その作業が容易となるとともに保守性を向上させることができる。
【００２４】
実施の形態２．
図６は、この発明の実施の形態２におけるエレベータかご室用空調機を示す正面視の拡大図であり、図２の相当するものである。図７は、図６の側面図であり図３に相当するものである。実施の形態２は、実施の形態１に対して回転機構を変更したものである。
【００２５】
図６及び７において、開口調整カバー１２は、防音カバー１０の両側に回転軸２０を介して回転自在に支持されている。そして、回転制御手段であるモータ２１が防音カバーのどちらか一方に取り付けられ、回転軸２０を回転させることで、開口調整カバー１２を回転させる。モータ２１は、図示しない制御装置に接続され、かご室１の昇降速度に応じて、開口調整カバー１２の回転角を制御する。即ち、モータ２１は、かご室１が昇降中に、かご室１の昇降速度が速い場合、空気吸入口１１を閉ざす方向に開口調整カバー１２を回転させる。逆にかご室１の昇降速度が遅い場合、空気吸入口１１を開口する方向に開口調整カバー１２を回転させる。その他の点は実施の形態１と同様であり、詳細な説明は省略する。また、実施の形態１と同符号のものは相当部分を示す。
【００２６】
以上の実施の形態２におけるエレベータかご室用空調機は、実施の形態１と同様な効果を奏するとともに、次に示す効果も奏する。
実施の形態２は、かご室１が昇降しているときに、その昇降速度に応じて、開口調整カバー１２の回転角を制御し、空気吸入口１１の開口量を制御する。これにより、かご室１の昇降速度が速い状態では、空気吸入口１１の開口量を小さくして、かご室１内の騒音を低減することができる。逆に、かご室１の昇降速度が遅い状態では、空気吸入口１１の開口量を大きくして、換気ファン８ｃの負荷を軽減することができる。このように、かご室１が昇降しているときに、その昇降速度が変化しても、効率よくかご室１内の空調を行うとともに、適切にかご室１内の騒音を低減することができる。また、時々刻々と変化するかご室１の昇降速度に対しても、空気吸入口１１の開口量を制御することもでき、より効率のよい空調と騒音の低減が図れる。
【００２７】
また、かご室１が停止しているときは、空気吸入口１１を全開にすることもでき、このとき、換気ファン８ｃの負荷が軽減され、より回転数が小さくなり、長寿命化とともに、換気ファン８ｃの回転によって発生する騒音も低減され、よりかご室内の騒音を低減できる。
【００２８】
実施の形態３．
図８は、この発明の実施の形態３におけるエレベータかご室用空調機を示すかご室全体の正面図であり、図１に相当するものである。図９は、図８のエレベータかご室用空調機を示す正面視の拡大図であり、図２の相当するものである。実施の形態３は、実施の形態１に対して、かご室１の天蓋４と異なる天蓋に適用したものである。
【００２９】
図８及び９において、かご室３０の天蓋３１は、実施の形態１の天蓋４に対して高さが低いものである。このような天蓋３１は、断面が逆ハット状を呈し、かご室１内側が意匠面となっている天井板３１ａと、上面にフタ３１ｂを有する。そして、内部に照明装置３１ｃが配置されている。また、天井板３１ａの側面はかご壁３から間隔を空けて配置されている。そして、天井板３１ａの側面に、かご室１内側へ向けて横方向に開口した第１の換気口３２ａが設けられている。そして、第１の換気口３２ａの近傍で、フタ３１ｂに上方向に開口した第２の換気口３２ｂが設けられている。この第２の換気口３２ｂの上部に空調機３３が設けられている。
【００３０】
空調機３３には、第２の換気口３２ｂの上面に、上面が傾斜した取付台３４が設けられている。この取付台３４の傾斜された上面に、実施の形態１と同様の換気装置８が、フタ３１ｂに対して傾斜するように、防振体７ａを介して締結具９によって取り付けられている。そして、換気装置８の排気口８ａが第２の換気口３２ｂに対向して配置されている。換気装置８を覆う防音カバー１０が、フタ３１ｂに対して傾斜されて取り付けられている。従って、空気吸入口１１はフタ３１ｂの上面に向かって開口している。その他の点は実施の形態１と同様であり、詳細な説明は省略する。また、実施の形態１と同符号のものは相当部分を示す。
【００３１】
このような天蓋３１は、かご室１内側の意匠面に換気口を設けることもできず、高さが低いため、側面にかご室１内側から直接に目視できない第１の換気口３２ａが設けられている。そして、この第１の換気口３２ａに対して空気を流入するように、側面と直角方向の上面に第２の換気口３２ｂが設けられている。もし、換気装置８の排気口８ａが第２の換気口３２ｂに対面して配置されると、換気装置８から送り込まれる空気は乱流状態となって第１の換気口３２ａへ流入する。この場合、空気が流れにくくなるため、本実施の形態では、換気装置８を傾斜させて、排気口８ａから送り込まれる空気を、第２の換気口３２ｂに対して斜め上方より流入し、空気を乱流しにくい状態で第１の換気口３２ａへ流入している。
【００３２】
空気吸入口１１が天蓋３１の上面へ向かって開口しており、開口調整カバー１２が空気吸入口１１を閉ざす状態（防音カバー１０の端面に沿った状態）の場合、開口調整カバー１２と天蓋３１の上面との間隔が水平取付の場合と比較して小さくなる。そのため、空気吸入口１１における吸気面積も小さくなり、騒音は入り難くなるが、換気装置８が吸気しにくくなる。開口調整カバー１２を空気吸入口が開口する方向に回転させることで、十分な吸気面積を確保することができ、換気装置８の負荷も軽減できる。開口調整カバー１２の回転角度は、かご室１内の騒音レベルの低減と空調が適切に行われるように設定される。
【００３３】
以上のように、空調機３３は、開口調整カバーによって空気吸入口１１の開口量を調整するので、高さの低い天蓋を有するかご室などのように、空気吸入口１１の配置に関わらず、実施の形態１と同様な効果を奏する。
なお、実施の形態１，２，３は空調機を１ヶ所に設けたが、複数箇所に設けても良い。
【図面の簡単な説明】
【００３４】
【図１】この発明の実施の形態１におけるエレベータかご室用空調機を示すかご室全体の正面図である。
【図２】図１のエレベータかご室用空調機を示す正面視の拡大図である。
【図３】図２の側面図である。
【図４】図３の断面Ａ−Ａを示す図である。
【図５】この発明の実施の形態１におけるエレベータかご室用空調機の動作を示す図である。
【図６】この発明の実施の形態２におけるエレベータかご室用空調機を示す正面視の拡大図である。
【図７】図６の側面図である。
【図８】この発明の実施の形態３におけるエレベータかご室用空調機を示すかご室全体の正面図である。
【図９】図８のエレベータかご室用空調機を示す正面視の拡大図である。
【符号の説明】
【００３５】
１  かご室、４  天蓋、５  換気口、８ 換気装置、８ａ  排気口、８ｂ  吸気口、
１０  防音カバー、１１  空気吸入口、１２  開口調整カバー、１３  ボルト、
１４  第１の吸音材、１５  第２の吸音材、２１  モータ
【図１】
0005157509.tif 000002
【図２】
0005157509.tif 000003
【図３】
0005157509.tif 000004
【図４】
0005157509.tif 000005
【図５】
0005157509.tif 000006
【図６】
0005157509.tif 000007
【図７】
0005157509.tif 000008
【図８】
0005157509.tif 000009
【図９】
0005157509.tif 000010